(57)【要約】【課題】安定性があり、ワンタッチ操作で工事作業性が良く、材料のコスト低減を図れる自在式軒樋吊金具。【解決手段】幕板１８に固着される棒状支持体３に、軒樋外耳４を引っ掛け保持するカギ状の差込部２７を形成した断面視略階段状の外耳保持具１が設けられ、一方には、軒樋内耳５の内側と外側から爪部２１をもって保持される内耳保持具２が設けられ、前記外耳保持具１と前記内耳保持具２は固着手段を介して一体的に連結され、前記外耳保持具１及び前記内耳保持具２のそれぞれの長手方向中程に位置する取付片２３，２５，２６に設けた挿通孔６，７，８により、前記棒状支持体３をスライド可能に挿通する。【選択図】図１
2009121213.tif 000002
【特許請求の範囲】
【請求項１】
屋根を伝って流れてくる雨水をきちんと軒先で受けとめることができる様に、軒下に設置する軒樋の固定位置を、スライド進退調節可能な自在式軒樋吊金具であり、
軒樋の外耳を支える外耳保持具と軒樋の内耳を支える内耳保持具は固着手段を介して一体的に連結され、且つ、外耳保持具に１ヶ所、内耳保持具に２ヶ所設けた挿通孔に、棒状支持体をスライド自在に挿通させた、ワンタッチ自在式軒樋吊金具。
【請求項２】
幕板に固着される棒状支持体に、軒樋外耳を引っ掛け保持するカギ状の差込部を形成した断面視略階段状の外耳保持具が設けられ、一方には、軒樋内耳の内側と外側から爪部をもって保持される内耳保持具が設けられ、前記外耳保持具と前記内耳保持具は固着手段を介して一体的に連結され、前記外耳保持具及び前記内耳保持具にはそれぞれの長手方向中程に位置する取付片に設けられた挿通孔により、前記棒状支持体をスライド可能に挿通されていることを特徴とするワンタッチ自在式軒樋吊金具。
【請求項３】
幕板に固着される棒状支持体に、外耳保持具及び内耳保持具をそれぞれスライド可能に挿着して、
軒樋に設けられる外耳及び内耳に対応してその取付位置を調整して外耳保持具及び内耳保持具をそれぞれ係止してなり、
前記内耳保持具は、平板を展開させて折りまげて形成される、棒状支持体に沿う主体片と二つの取付片とにより断面視略コ字状に形成され、二つの取付片の根元側に挿通孔を穿設して、取付片を相対向する方向に押圧して棒状支持体に挿通孔を挿通してスライドさせてなる軒樋支持具において、
前記外耳保持具は、主体片と取付片及び接続片とにより断面視略階段状に形成され、
前記主体片には、軒樋の外耳に差込むカギ状の差込部を形成し、
前記取付片には、挿通孔を穿設し、
前記接続片の端部を前記内耳保持具に固着手段を介して一体的に連結させ、
前記外耳保持具が前記内耳保持具のスライド移動に引きずられたり押されたりしながら同じ動きでスライド移動することを特徴とする、ワンタッチ自在式軒樋吊金具。
【発明の詳細な説明】
【技術分野】
【０００１】  本発明は、屋根を伝って流れてくる雨水をきちんと軒先で受け止めることができる様に、軒下に設置する軒樋の固定位置を、スライド進退調節可能な自在式軒樋吊金具に関する。
【背景の技術】
【０００２】  従来から、上記自在式軒樋吊金具の中でも、バネ性を備えた操作片部である板状部材を摘んで操作する軒樋吊金具には、その簡便性から、さまざまな技術が存在する。
【特許文献１】  特開２００３−１３５６９号公報
【特許文献２】  特開２００３−１３５７１号公報
【特許文献３】  特許第３５７６９１６号公報＜特許文献１＞
【０００３】  特許文献１は、バネ性を備えた操作片部が略上方に向けて延設された蝶バネを施している技術である。
「樋を吊下げて支持装着可能であって、樋の耳部を掛止する樋耳掛止部を備えた進退調整可能な樋吊具本体と、前記樋吊具本体に基板部が固着されると共に、その両側端には、貫通口を形成し、且つバネ性を備えた操作片部が略上方に向けて延設された蝶バネと、前記蝶バネの貫通口を貫通するスライド足片が前方に延設され、基端側には軒先等に固定される固定部が形成さえた取付部材と、よりなる樋吊具。」（特許請求の範囲［請求項１］参照）
＜特許文献２＞
【０００４】  特許文献２は、バネ製を備えた操作片部が略下方に向けて延設された蝶バネを施している技術である。
「樋を支持受け装着可能であって、樋の耳部を掛止する樋耳掛止部を備えた進退調節可能な樋受具本体と、前記樋受具本体に基板部が固着されると共に、その両側端には、貫通口を形成し、且つバネ性を備えた操作片部が略下方に向けて延設された蝶バネと、前記蝶バネの貫通口を貫通するスライド足片が前方に延設され、基端側には軒先等に固定される固定部が形成された取付部材と、より成る樋受金具において、上記取付部材のスライド足片には、その長手方向に連続された凹凸部を形成し、上記凹凸部と、上記蝶バネに形成された貫通口のエッジ部とが係脱可能な構造としたことを特徴にしている樋受金具。」（特許請求の範囲［請求項１］参照）
＜特許文献３＞
【０００５】  特許文献３は、棒状支持体に、断面視略コ字状に形成された外側耳保持具及び内側耳保持具をそれぞれ係止してなる技術である。
「幕板に固着される棒状支持体に、屋外側耳保持具及び屋内側耳保持具をそれぞれスライド可能に挿着して、軒樋に設けられる屋外側耳部及び屋内側耳部に対応してその取付位置を調整して屋外側耳保持具及び屋内側耳保持具をそれぞれ係止してなる軒樋支持具において、前記屋外側耳保持具及び屋内側耳保持具は、平板を展開させて折りまげて形成される、棒状支持体に沿う主体片と二つの取付片とにより断面視略コ字状に形成され、二つの取付片の根元側に挿通孔を穿設して、取付片を相対向する方向に弾発的に押圧して棒状支持体に挿通してスライドさせなることを特徴とする軒樋支持具。」（特許請求の範囲［請求項１］参照）
【発明の開示】
【発明が解決しようとする課題】
【０００６】＜特許文献１について＞【０００７】図８で示すように、軒樋外耳を保持する樋耳掛止部５０と軒樋内耳を保持する樋耳掛止部５１を二つの操作片部との接点であるリベット止め（或いは溶接等）５２の１点で支える構造になっており（明細書［００２８］参照）、樋を樋支持具に嵌めるとその重みをリベット止め５２の１点では支えきれず、軒樋外耳を保持する樋耳掛止部５０が下がってしまうという問題を有していたのである。
爪部５４は、蝶バネ貫通口５５から飛び出した形状である。爪部５４は、スライド足片５３長手方向へ蝶バネ５６が前後スライド移動することは阻止できるがスライド足片５３巾手方向の左右のガタツキは阻止できないという問題も有している。
＜特許文献２について＞【０００８】  図９で示すように、平角棒状部材であるスライド足片６０にはその長手方向に連続された凹凸部が設かられているのみで、樋耳係止部６２，６３を、スライド足片６０長手方向へスライド移動させる時、ガタガタガタとさせながら移動することになり、移動にスムーズさがないという問題を有していたのである。
また、樋耳係止部６２，６３をスライド足片６０長手方向へスライド移動させる為には蝶バネ貫通口６１をスライド足片６０凹凸部の厚みより少し大きめに設ける必要があり、完全に樋耳係止部６２，６３を静止固定させることは難しいという問題をも有していたのである。
また、軒樋外耳を保持する樋耳掛止部６２と軒樋内耳を保持する樋耳掛止部６３を、二つの操作片部との接点であるリベット６４の一点で支える構造になっており、樋を樋支持具に嵌めるとその重みをリベットの一点では支えきれず、軒樋外耳を保持する樋耳掛止部と軒樋内耳を保持する樋耳掛止部が静止安定せずガタつくという問題をも有していたのである。
＜特許文献３について＞【０００９】  図１０で斜視図で示す様に、それぞれ断面視略コ字状に形成された屋外側樋耳保持具７０及び屋内側樋耳保持具７１の２部品は、それぞれ独立部品として離れているので、軒下での軒樋の固定位置を前後スライド調節する時に、前記２部品共にそれぞれスライド移動し位置合わせをしなければならないという『二度手間感』が職人様に強くあり、作業性が悪いというを問題を有していたのである。
また、製造コスト面においても、屋外側樋耳保持具７０及び屋内側樋耳保持具７１双方にコスト高の板バネ材を使用しなかればならなかったいう問題をも有していたのである。【００１０】  本発明は、以上のような従来の問題に鑑みてなされたものであって、以下に示す必要条件を満たすワンタッチ自在式軒樋吊金具を提供することを目的とする。
１）上下左右にグラ付いたりせず、軒樋の所定の向きを安定して堅持できる軒樋吊金具。
２）１軒に何十本も必要とされる建築部材なので、材料のコスト低減が図れる軒樋吊金具。
３）ワンタッチ操作でめんどうな手間や時間を必要とせず、工事作業性が良い軒樋吊金具。
【課題を解決するための手段】
【００１１】  本発明は、上記課題を解決するために下記の構成とする。【００１２】〔１〕屋根を伝って流れてくる雨水をきちんと軒先で受けとめることができる様に、軒下に設置する軒樋の固定位置を、スライド進退調節可能な自在式軒樋吊金具であり、
軒樋の外耳を支える外耳保持具と軒樋の内耳を支える内耳保持具は固着手段を介して一体的に連結され、且つ、外耳保持具に１ヶ所、内耳保持具に２ヶ所設けた挿通孔に、棒状支持体をスライド自在に挿通させた、ワンタッチ自在式軒樋吊金具。【００１３】〔２〕幕板に固着される棒状支持体に、軒樋外耳を引っ掛け保持するカギ状の差込部を形成した断面視略階段状の外耳保持具が設けられ、一方には、軒樋内耳の内側と外側から爪部をもって保持される内耳保持具が設けられ、前記外耳保持具と前記内耳保持具は固着手段を介して一体的に連結され、前記外耳保持具及び前記内耳保持具のそれぞれの長手方向中程に位置する取付片に設けた挿通孔により、前記棒状支持体をスライド可能に挿通されていることを特徴とするワンタッチ自在式軒樋吊金具。【００１４】〔３〕幕板に固着される棒状支持体に、外耳保持具及び内耳保持具をそれぞれスライド可能に挿着して、
軒樋に設けられる外耳及び内耳に対応してその取付位置を調整して外耳保持具及び内耳保持具をそれぞれ係止してなり、
前記内耳保持具は、平板を展開させて折りまげて形成される、棒状支持体に沿う主体片と二つの取付片とにより断面視略コ字状に形成され、二つの取付片の根元側に挿通孔を穿設して、取付片を相対向する方向に押圧して棒状支持体に挿通孔を挿通してスライドさせてなる軒樋支持具において、
前記外耳保持具は、主体片と取付片及び接続片とにより断面視略階段状に形成され、
前記主体片には、軒樋の外耳に差込むカギ状の差込部を形成し、
前記取付片には、挿通孔を穿設し、
前記接続片の端部を前記内耳保持具に固着手段を介して一体的に連結させ、
前記外耳保持具が前記内耳保持具のスライド移動に引きずられたり押されたりしながら同じ動きでスライド移動することを特徴とする、ワンタッチ自在式軒樋吊金具。
【発明の効果】
【００１５】  本発明は上記構成からなるので、以下に示す効果が期待できる。
１）３ヶ所の挿通孔６，７，８が外耳保持具１及び内耳保持具２を棒状支持体３に保持固定するので、外耳保持具１及び内耳保持具２が上下左右にガタ付かない。
２）軒樋外耳内側４を支える外耳保持具１は内耳保持具２と一体に連結され、内耳保持具２に引きずられ引っ張られながら棒状支持体３にそってスライド移動するだけなので、内耳保持具２の様なバネ性は必要がなく、生板材を使用でき、材料コスト低減を図ることができる。
３）軒先１６の軒樋１５の前後の位置調整は、内耳保持具２の下方板状部材である反座金側片１２と座金側片１３を指で摘んでスライド進退させ、棒状支持体３に設けられた任意の出位置調整孔１０の位置で指を離して、出位置調整孔１０に内耳保持具２の座金側挿通孔８の淵を食い込ませて止めるという、軒樋施工位置調整手間がワンタッチの一度で済む構造であり、軒樋の位置調整の時間短縮が格段に図れ、作業性がバツグンに良い。
【発明を実施するための最良の形態】
【００１６】  以下、本発明の実施の形態を図面を参照して説明する。
図１〜図４までは、本発明の第１の実施例を示している。
＜図１＞【００１７】  図１は、本発明のワンタッチ自在式軒樋吊金具を、軒樋１５の外耳４と内耳５に嵌めた状態を図示した斜視図である。
本発明であるワンタッチ自在式軒樋吊金具は、軒樋外耳４を保持する働きをする外耳保持具１の取付片２３に設けた挿通孔６と、軒樋内耳５を保持する働きをする内耳保持具２の２つの取付片２５，２６にそれぞれ設けた挿通孔７，８に、金具本体である棒状支持体３を挿通した構造である。
金具本体である棒状支持体３は丸棒であり、該一端は、Ｌ字形に曲げた後、座金９を溶着している。
外耳保持具１と内耳保持具２の関係は、まず、外耳保持具１の接続片２４の一端を、内耳保持具２の反座金側片１２の平板折り目部分１７付近に横一文字に設けた貫通細長穴１１に入れ込み、折り曲げ後溶着し、外耳保持具１と内耳保持具２を一体にガタ付きなく強固に連結し、且つ、内耳保持具２に２ヶ所、外耳保持具１に１ヶ所設けた棒状支持体３の断面を斜めに切った形よりやや大きめの略同形状の挿通孔６，７，８に、棒状支持体３をスライド自在に挿通させた構造である。
＜図２＞【００１８】  図２は、外耳保持具１と内耳保持具２の接続方法を表す部品組立方法図である。外耳保持具１と内耳保持具２は、前記外耳保持具１の接続片２４の端部を、内耳保持具２の反座金側片１２に設けた貫通細長穴１１に差込み折り曲げ後スポット溶接するなどして固着連結される。
＜図３＞【００１９】  図３は、使用状態図である。座金９に設けたクギ孔やビス穴にクギやビスで幕板１８に打ち付けた後、軒下に流れ落ちる雨水を軒樋１５の外耳４と内耳５の中程で受け止めることができる位置に、内耳保持具２の下方の反座金側片１２と座金側片２１を相対向する方向に押圧ながら持ち上げて棒状支持体３から浮かせ、図示した矢印方向にスライド移動して軒樋１５の施工位置を調節していることを表している。
外耳保持具１は、内耳保持具２と連結接続されているので、内耳保持具２の動きに引きずられるかたちで、内耳保持具２と同じ動きで図示した矢印方向にスライド移動する。
屋根を伝って流れてくる雨水をきちんと軒先１６で受け止めることができる様に、軒下に設置する軒樋１５の固定位置を、調整できる自在式軒樋吊金具であるので、軒先１６からの軒樋１５の出位置調整は、内耳保持具２下方両側片１２，１３を親指や人差し指で摘んで図示した矢印方向である建物に対しての内外にスライド移動させて、棒状支持体３に設けられた出位置調整孔１０の任意の出位置で両指を離すことにより、出位置調整孔１０に内耳保持具座金側挿通孔８の上淵を食い込ませて止める。
軒樋１５の施工位置調整手間が一度で済む構造であり、施工時間短縮が格段に図れ、作業性がバツグンに良い。
＜図４＞【００２０】  図４は本発明のワンタッチ自在式軒樋吊金具の（イ）は平面図、（ロ）は正面図、（ハ）は底面図である。【００２１】  上記第１の実施例の変形例として、第２〜第４の実施例を図５〜図７で図示した。
＜図５＞【００２２】  図５は第２の実施例であり、上の述べた実施例における丸棒の棒状支持体３に替えて角棒を用いたことを図示している。
＜図６＞【００２３】  図６は、本発明の第３の実施例を示す正面図であり、内耳保持具２の反座金側片１２の折り目部分１７付近に設けた貫通細長穴１１に、外耳保持具１の座金側端部２０を差し込んだ後、ペンチの先などで矢印方向などにひねることで、外耳保持具１と内耳保持具２を連結する固着手段を図示している。
＜図７＞【００２４】  図７は、本発明の第４の実施例を示す正面図であり、内耳保持具２の反座金側片１２の折り目部分１７付近に設けた貫通細長穴１１に、外耳保持具１の座金側端部２０を差し込んだ後、外耳保持具１の座金側端部２０を内耳保持具２の貫通細長穴１１に差し込んだ後、リベット止め２８する固着手段を図示している。【００２５】  以下、本発明の実施の形態を主な符号を参照して説明する。
（外耳保持具１）【００２６】  材料は、鉄やステンレスなどの生板材。
材質については、外耳保持具１は内耳保持具２に引きずられて同じ様に前後に動くだけなので、内耳保持具２の様にバネ性をもって棒状支持体３にしがみ付く必要はまったく、バネ材よりコストの掛からない生板材で良い。
形は、軒樋１５の外耳４を下から引っ掛け吊り上げるカギ状の差込部２７を設けた主体片２２と１つの挿通孔６をもつ取付片２３と内耳保持具２と連結される接続片２４により断面視略階段状に形成されている。
主体片２２は、差込部２７を軒樋外耳４の内側４に入れ込み、軒樋１５の外耳４を下方から吊り上げ保持する。
取付片２４は、断面視略階段状の中程にあり、棒状支持体３の断面を斜めに切った形よりやや大きめの略同形状の挿通孔６が１つ設けられている。
接続片２４は、該座金側他端が内耳保持具２と連結され一体化している。連結方法は、内耳保持具２の反座金側片１２に横一文字に設けた貫通細長穴１１に該一端を入れ込み下方に祈り曲げてスポット溶接などの手段で固定して内耳保持具２と一体に連結されている。
外耳保持具１の他の部分との関係は、前記１つの挿通孔６には、棒状支持体３がスライド自在に貫通していることである。
外耳保持具１の働きは、軒樋１５の外耳内側に入り込んで軒樋外耳４を吊って持ち上げることである。
外耳保持具１の動きは、外耳保持具１には棒状支持体３を貫通する、棒状支持体３の断面を斜めに切った形よりやや大きめの略同形状の１つの挿通孔６によって、連結された内耳保持具２と常に一体となって、棒状支持体３をスライド自在に移動する。
（内耳保持具２）【００２７】  材料は、鉄やステンレスなどの板バネ材。
棒状支持体３にバネ性を利用することによりしがみ付くので、バネ材である必要がある。
形は断面視略コ字状。棒状支持体３を貫通する、棒状支持体３の断面を斜めに切った形よりやや大きめの略同形状の挿通孔７，８が設けられている。
反座金側片１２が外耳保持具１と連結されている。
他の部分との関係は、２つの挿通孔７，８に、棒状支持体３がスライド自在に貫通している。
反座金側片１２に横一文字に設けた貫通細長穴１１に、外耳保持具１の接続片２４の座金側一端を入れ込み下方に折り曲げて、スポット溶接等で固定し、外耳保持具１と一体に連結する。
機能は、軒樋内耳５の座金側を下方から爪部２１で吊り上げると共に、軒樋内耳５をその内側面からも支え押えることにより軒樋内耳５を保持することである。爪部２１とは軒樋の内耳５を座金側下方から突き上げて保持している部分をいう。
（棒状支持体３）【００２８】  材料は、鉄やステンレスなどの、断面が丸や四角など棒状生材である。全体を略Ｌ字状に曲げた、長手部分の端には、外耳保持具１抜け止め防止の為の突起部１４がある。また、該短手部分は座金９に固定されている。
機能は、外耳保持具１や内耳保持具２の各挿通孔６，７，８に貫通することにより、前記各保持具１，２をスライド自在に金具本体として支える役目をする。
図１では、略Ｌ字状の短手部分は座金９で幕板１８に固定されているが、タルキむき出しで幕板１８がない和風の建物もあり、その場合は棒状支持体３を略Ｌ字状に曲げたりせず、直線状のまま該先を尖らしてタルキに打ち付けたり、タルキの横に横打ちしたりする。
（外耳保持具挿通孔６）【００２９】  形は、棒状支持体３の断面を斜めに切った形よりやや大きめの略同形状。
他の部分との関係は、外耳保持具１を棒状支持体３に貫通させて、外耳保持具１をスライド自在に棒状支持体３に保持する。
（内耳保持具反座金側挿通孔７および内耳保持具座金側挿通孔８）【００３０】  形は、棒状支持体３の断面を斜めに切った形よりやや大きめの略同形状。
他の部分との関係は、内耳保持具２を棒状支持体３に貫通させることにより、外耳保持具１及び内耳保持具２をスライド自在に棒状支持体３に保持する。
（出位置調整孔１０）【００３１】  形は、棒状支持体３上面に設けた角孔や長孔である。
他の部分との関係は、軒先１６からの軒樋１５の出位置調整の為に、内耳保持具２の反座金側片１２および座金側片１３の下方を親指や人指し指などの両指先で摘んで矢印方向である軒１６の下方の内外にスライド移動させ、棒状支持体３に設けられた出位置調整孔１０の任意の出寸法位置で指を離して、出位置調整孔１０に内耳保持具２の座金側挿通孔８の上淵を食い込ませて沈めて止めることによって内耳保持具２及び内耳保持具２に連結された外耳保持具１を棒状支持体３に引きずることによってスライド位置決めする。
棒状支持体３の長手方向に１５ミリごと３ヶ所位刻設するのが望ましい。
（貫通細長穴１１）【００３２】  形は、板材の内耳保持具２の反座金側片１２に横一文字に設けられた貫通した細長穴。
他の部分との関係は、外耳保持具１の座金側一端を入れ込み下方等に折り曲げてスポット溶接等で内耳保持具２と外耳保持具１を一体に連結する。
（軒樋施工方法）【００３３】  連結された、外耳保持具１に設けた１つの挿通孔６と内側保持具２に設けた２つの挿通孔７，８の合計３つの挿通孔に、その一端に軒樋１５抜止の為の突起部１４を設けた棒状支持体３がスライド自在に貫通されているので、軒樋１５施工屋根の軒先１６の出寸法に合わせ、軒下に設置する軒樋１５の固定位置を、屋根を伝って流れてくる雨水をきちんと軒先１６で受けることができる様に、内耳保持具２両側片１２，１３下方を親指と人差し指などで摘んで、外耳保持具１，内耳保持具２の連結部材を一体化したまま軒先１６の内外方向にスライド移動操作ができ、棒状支持体３に設けた出位置調整孔１０に内耳保持具座金側挿通孔８の上端を食い込ませることにより、軒樋設置位置を調整できる、出位置調整自在式軒樋吊金具である。
軒樋吊金具は、金物製造工場において、外耳保持具１と内耳保持具２とは一体に連結され、且つ、内耳保持具に２ヶ所、外耳保持具に１ヶ所設けた挿通孔６，７，８に、棒状支持体３をスライド自在に通した構造として製造されて来るので、軒樋施工の建築現場においては、まず、座金９を軒下の幕板１８にビス等で固定した後、内耳保持具２の両側片１２，１３の下方２ヶ所を指で摘んで外耳保持具１と内耳保持具２が連結された部材を軒先１６の下の内外方向にスライド移動させて軒先１６からの出位置調整をした後、棒状支持体３に設けられた出位置調整孔１０の任意の出寸法位置で、内耳保持具２の座金側挿通孔８の淵を食い込ませる形で両指を離して、外耳保持具１，内耳保持具２の連結部材を棒状支持体３に固定する。
上記の様に軒樋１５の出位置調整をした後、軒樋吊金具を軒下の幕板１８に取付、外耳保持具１の反座金側端部１９に軒樋外耳内側４を引っ掛かけ、下方から軒樋内耳５を突き上げて内耳保持具２に軒樋１５を嵌め入れる。
自在式軒樋吊金具として、外耳保持具１と内耳保持具２の２ヶ所をスライド移動させ軒先１６下の位置調整をする時、内耳保持具２両側片１２，１３下方を指で摘んで軒の内外にスライド移動させ、棒状支持体３に設けた出位置調整孔１０の任意の出寸法位置で指を離して、出位置調整孔１０に内耳保持具２の座金側挿通孔８の上淵を食い込ませて止めるという軒樋１５の施工位置調整手間が一度で済み、出位置調整の時間短縮が格段に図れ、作業性がバツグンに良い。
外耳保持具１は生板材を使える為、コスト低減が図れ、金具の価格適正化への貢献ができる。
（変形例）【００３４】  変形例として、内耳保持具２の反座金側片１２に設けた横一文字形の貫通細長穴１１に外耳保持具１の座金側端部２０を差し込んだ後、図６に側面図で示すように、図示した矢印方向にペンチ等でひねって外耳保持具１と内耳保持具２を連結接続固定したり、その他、上方へ折り曲げたり、または差し込んだ座金側端部２０の中央に切れ目を入れて半分ずつ上下に折り曲げて内耳保持具反座金側片１２に固定することもできる。また、図７に側面図で示すように、リベット２８や鋲でカシメることもでき、他に、ビスで固定したり、溶着することなどもできる。
【図面の簡単な説明】
【００３１】
【図１】本発明の第１の実施例を示す斜視図である。
【図２】第１の実施例における部品組立方法図である。
【図３】第１の実施例における使用状態図である。
【図４】（イ）第１の実施例における平面図である。（ロ）第１の実施例における正面図である。（ハ）第１の実施例における底面図である。
【図５】本発明の第２の実施例を示す斜視図である。
【図６】本発明の第３の実施例を示す正面図である。
【図７】本発明の第４の実施例を示す正面図である。
【図８】（イ）特許文献１の分解斜視図である。（ロ）特許文献１の部分断面図である。
【図９】特許文献２の分解斜視図である。
【図１０】特許文献３の斜視図である。
【符号の説明】
【００３２】１…外耳保持具                １１…貫通細長穴          ２１…爪部
２…内耳保持具                １２…反座金側片          ２２…主体片
３…棒状支持体                １３…座金側片            ２３…取付片
４…軒樋外耳                  １４…突起部              ２４…接続片
５…軒樋内耳                  １５…軒樋                ２５…取付片
６…外耳保持具挿通孔          １６…軒                  ２６…取付片
７…内耳保持具反座金側挿通孔  １７…折り目部分          ２７…差込部
８…内耳保持具座金側挿通孔    １８…幕板                ２８…リベット
９…座金                      １９…反座金側端部
１０…出位置調整孔            ２０…座金側端部
【図１】
2009121213.tif 000003
【図２】
2009121213.tif 000004
【図３】
2009121213.tif 000005
【図４】
2009121213.tif 000006
【図５】
2009121213.tif 000007
【図６】
2009121213.tif 000008
【図７】
2009121213.tif 000009
【図８】
2009121213.tif 000010
【図９】
2009121213.tif 000011
【図１０】
2009121213.tif 000012